(57)【特許請求の範囲】
【請求項１】
合成樹脂管を接続するための接続具であって、
前記合成樹脂管の接続端部に内挿される内挿筒部を備えた接続具本体と、前記接続端部を前記内挿筒部とで挟み付けて該管を接続すべく、前記内挿筒部に対し軸方向に移動する移動スリーブとからなり、
前記接続具本体には、前記移動スリーブの移動に伴って該管が接続方向に移動するのを防止すべく該管の端面に当接する移動防止部と、
前記移動スリーブの移動により押し出された管材料を受容する受容部と、
前記移動防止部に当接した管の端部外側を覆う位置に設けられ、前記押し出された管材料が外方に飛び出すのを防止する飛出防止部とを備えたことを特徴とする合成樹脂管を接続するための接続具。
【請求項２】
前記飛出防止部は、内挿筒部との間に管挿入空間部を形成するように反接続方向に突設されてなることを特徴とする請求項１に記載の合成樹脂管を接続するための接続具。
【請求項３】
前記移動防止部は、管挿入空間部の奥方に受容部を形成すべく、飛出防止部の内壁に形成されてなることを特徴とする請求項２に記載の合成樹脂管を接続するための接続具。
【請求項４】
前記移動防止部は、飛出防止部の内壁から突出する段部で形成されることを特徴とする請求項３に記載の合成樹脂管を接続するための接続具。
【請求項５】
前記段部と前記内挿筒部との間に設けられる受容部は、薄肉の合成樹脂管が挿入される第２の管挿入空間を構成することを特徴とする請求項４に記載の合成樹脂管を接続するための接続具。
【請求項６】
前記接続具本体は、前記スリーブの移動に伴って、前記第２の管挿入空間内に挿入された薄肉の合成樹脂管が接続方向に移動するのを防止すべく、該薄肉の管の端面に当接する第２の移動防止部と、前記移動スリーブの移動により押出された前記薄肉の管の管材料を受容する第２の受容部とを備えたことを特徴とする請求項５に記載の合成樹脂管を接続するための接続具。
【請求項７】
前記移動防止部は、飛出防止部の内壁が奥方に向けて漸次内挿筒部側に傾斜する傾斜面で形成されることを特徴とする請求項３記載の合成樹脂管を接続するための接続具。
【請求項８】
移動防止部は、管挿入空間の奥方に受容部を形成すべく、内挿筒部の外壁に形成されてなることを特徴とする請求項２記載の合成樹脂管を接続するための接続具。
【請求項９】
移動防止部は、管挿入空間の奥端壁で構成され、受容部は、管挿入空間の内方又は外方に設けられることを特徴とする請求項２記載の合成樹脂管を接続するための接続具。
【請求項１０】
前記飛出防止部は、部分的に切り欠かれることにより、該管の端部の確認窓が設けられることを特徴とする請求項２乃至９のいずれかに記載の合成樹脂管を接続するための接続具。
【発明の詳細な説明】
【０００１】
【発明の属する技術分野】
本各発明は、合成樹脂管を接続するための接続具に関し、詳しくは、合成樹脂管の接続端部に内挿される内挿筒部を備えた接続具本体と、前記接続端部を前記内挿筒部とで挟み付けて、該管体を接続すべく、前記内挿筒部に対し軸方向に移動される移動スリーブとからなるものに関する。
【０００２】
【従来の技術】
従来より、合成樹脂管（以下、管という）を接続するための接続具として種々のものがあるがその中でも、例えば特公平５−７９８７７号公報に示すようなものが提案されており、具体的には図１３に示すような構成となっている。
【０００３】
即ち、この種の接続具は、管スリーブとして形成された接続片３０１と、管スリーブに対して軸方向に運動可能な移動スリーブ３０２との２つの部分からなる接続具３００であって、前記接続片３０１に周方向のリブが設けられており、この接続片３０１のフランジ３０３に一番近いところに設けられたリブを管体の移動防止ストッパー３０１ａとして形成するとともに、この移動防止ストッパー３０１ａとフランジ３０３との間に移動スリーブ３０２により押し出された管材料の受容室３０４が形成されたものである。
【０００４】
【発明が解決しようとする課題】
しかしながら、図１４に示すように、移動スリーブ３０２を移動させていくと、移動スリーブ３０２により押し出された管材料は、奥方に充分な受容室３０４があっても飛び出すケースがあり、フランジ３０３と移動スリーブ３０２との間に前記管材料が挟まれ、移動スリーブ３０２の充分な移動が阻害される。かかる場合に移動スリーブ３０２をフランジ３０３に当接するまで押しはめることができないため、管体を完全に接続することができず、また、外観上もよくないという問題があった。
【０００５】
本発明はこのような課題を解決することであり、その目的は、移動スリーブの押しはめに伴う管体の奥方への移動を防止するとともに、移動スリーブによって押し出された管材料を受容可能とし、さらに移動スリーブとフランジとで管材料を挟むことにより該スリーブの移動が阻害されることを防止する合成樹脂管の接続具を提供することである。
【０００６】
【課題を解決するための手段】
以上を解決するために、本各発明の採った手段は、実施形態において使用する符号を付して説明すると、まず請求項１に係る合成樹脂管を接続するための接続具１００は、前記合成樹脂管１０の接続端部１１に内挿される内挿筒部２１を備えた接続具本体２０と、前記接続端部１１を前記内挿筒部２１とで挟み付けて該管１０を接続すべく、前記内挿筒部２１に対し軸方向に移動する移動スリーブ３０とからなり、前記接続具本体２０には、前記移動スリーブ３０の移動に伴って該管１０が接続方向に移動するのを防止すべく該管１０の端面に当接する移動防止部２２と、前記移動スリーブ３０の移動により押し出された管材料１０ａを受容する受容部２３と、前記移動防止部２２に当接した管１０の端部１１外側を覆う位置に設けられ、前記押し出された管材料１０ａが外方に飛び出すのを防止する飛出防止部２４とを備えたことをその要旨とした。
【０００７】
次に、請求項２記載の発明は、請求項１記載の合成樹脂管を接続するための接続具１００を構成する飛出防止部２４を、内挿筒部２１との間に管挿入空間部を形成するように反接続方向に突設されてなることをその要旨とした。
【０００８】
次に、請求項３に係る発明は、請求項２記載の合成樹脂管を接続するための接続具１００を構成する移動防止部２２を、管挿入空間部の奥方に受容部２３を形成すべく、飛出防止部２４の内壁に形成されてなることをその要旨とした。
【０００９】
次に、請求項４に係る発明は、請求項３記載の合成樹脂管を接続するための接続具１００を構成する移動防止部２２を、飛出防止部２４の内壁から突出する段部で形成されることをその要旨とした。
【００１０】
次に、請求項５に係る発明は、請求項４記載の合成樹脂管を接続するための接続具１００を構成する前記段部と前記内挿筒部２１との間に設けられる受容部２３を、薄肉の合成樹脂管１０が挿入される第２の管挿入空間を構成したことをその要旨とした。
【００１１】
次に、請求項６に係る合成樹脂管を接続するための接続具１００は、請求項５記載の合成樹脂管の接続具１００を構成する接続具本体２０を、前記移動スリーブ３０の移動に伴って、前記第２の管挿入空間内に挿入された薄肉の合成樹脂管１０が接続方向に移動するのを防止すべく、該薄肉の管１０の端面に当接する第２の移動防止部２５と、前記移動スリーブ３０の移動により押出された前記薄肉の管１０の管材料１０ａを受容する第２の受容部２６とを備えたことをその要旨とした。
【００１２】
次に、請求項７に係る合成樹脂管を接続するための接続具１００は、請求項３記載の合成樹脂管の接続具１００を構成する移動防止部２２を、飛出防止部２４の内壁が奥方に向けて漸次内挿筒部２１側に傾斜する傾斜面で形成されることをその要旨とした。
【００１３】
次に、請求項８に係る合成樹脂管を接続するための接続具１００は、請求項２記載の合成樹脂管の接続具１００を構成する移動防止部２２を、管挿入空間の奥方に受容部２３を形成すべく、内挿筒部２１の外壁に形成されてなることをその要旨とした。
【００１４】
次に、請求項９に係る合成樹脂管を接続するための接続具１００は、請求項２記載の合成樹脂管の接続具１００を構成する移動防止部２２を、管挿入空間の奥端壁で構成され、受容部２３は、管挿入空間の内方又は外方に設けられることをその要旨とした。
【００１５】
次に、請求項１０に係る合成樹脂管を接続するための接続具１００は、請求項２乃至９のいずれかに記載の合成樹脂管の接続具１００を構成する飛出防止部２４を、部分的に切り欠かくことにより、該管１０の端部の確認窓４０が設けられることをその要旨とした。
【００１６】
【発明の実施の形態】
本発明に係る合成樹脂管の接続具の実施の形態を説明するが、これは代表的な例を示したものであり、その要旨を越えない限り、以下の実施例により本発明が限定されるものでない。
【００１７】
さて、図１は、本発明にかかる合成樹脂管の接続具１００に、架橋ポリエチレン等の材料からなる合成樹脂管１０（以下、管１０という）を差しはめた状態を示すものである。そして、接続具１００は管１０の接続端部１１に内挿される内挿筒部２１を備えた接続具本体２０と、前記接続端部１１を前記内挿筒部２１とで挟み付けて該管１０を接続すべく、前記内挿筒部２１に対し軸方向に移動される移動スリーブ３０とから基本構成されたものである。尚、管１０の接続端部１１は、前記内挿筒部２１に差しはめられる前に一般的に使用される拡径治具によって拡張されているため、容易に差しはめることができる。これにより、前記内挿筒部２１の内周面と管１０の内周面とが略同一直線上に揃うため、流量損失を防ぐことができる。
【００１８】
そして、前記内挿筒部２１の外周面上には、リブ２１ａが複数周設されており、移動スリーブ３０を押しはめたときに各々のリブ２１ａが管１０に食い込むため、管１０を確実に接続することができる。また、内挿筒部２１の奥方には、管１０の接続端部１１の端面が当接する移動防止部２２が内挿筒部２１の外壁に周設されている。移動防止部２２は前記リブ２１ａに比して所定高さ分、高く周設されている。これにより、前記移動スリーブ３０を管１０外周上に圧縮しつつ押しはめる際にも移動防止部２２が管１０の端面のストッパとなるため、管１０が接続方向へ移動することが防止される。
【００１９】
ところで、前記移動スリーブ３０の押しはめ過程においては、図２に示すように、押し出された管１０の管材料１０ａは接続方向に徐々に蓄積される。そして、この蓄積された管材料１０ａが外方に飛び出すのを防止すべく前記移動防止部２２に当接した管１０の端部外側を覆う飛出防止部２４が設けられている。
【００２０】
前記飛出防止部２４は、内挿筒部２１との間に管挿入空間部を形成するように接続具１００に接続された管１０を引き抜く方向（以下、反接続方向という）に突設されており、その形状は、略Ｌ字形状に形成されている。これにより、確実に管材料１０ａの外方への飛び出しが防止される。この飛び出しを制限された管材料１０ａは、さらに奥方（接続方向）に逃げようとするが、それを受容するための受容部２３が前記移動防止部２２の奥方に設けられている。
【００２１】
次に、図３は、接続具本体２０の内挿筒部２１に移動スリーブ３０が完全に押しはめられた状態を示す。この場合、移動スリーブ３０の端面は飛出防止部２４の端面に圧着される。その際、図に示すように、押し出されて蓄積された管材料１０ａは飛出防止部２４によって外方への飛び出しが防止されるため、受容部２３に侵入し完全に受容される。これにより、移動スリーブ３０の端面が飛出防止部２４の端面に圧着するまで確実に押し嵌めることが可能となる。
【００２２】
尚、移動防止部２２は、図４に示すように、飛出防止部２４の内壁から突出する段部を形成してもよい。このような接続具１００にあっては、移動防止部２２の内壁と内挿筒部２１との間に受容部２３が形成される。そして、上述した実施例と同様に、移動スリーブ３０を管１０外周上に圧縮しつつ押しはめる際に移動防止部２２が管１０の端面のストッパとなるため、管１０が接続方向に移動することが防止される。そして、押し出されて蓄積された管１０の管材料１０ａは飛出防止部２４によって外方への飛び出しが制限され、さらに奥方（接続方向）に逃げようとした管材料１０ａは受容部２３に侵入し受容される。
【００２３】
また、図５は、接続具１００の別の実施例を示す一部拡大断面図であるが、この図に示すように、飛出防止部２４の内壁を奥方に向かって漸次内挿筒部側に傾斜する傾斜面としてもよい。即ち、内挿筒部２１と飛出防止部２４の内壁との挿入空間は奥方ほど狭まる形状となっているので、管１０の口径よりも狭い空間にさしかかったときに飛出防止部２４の内壁がストッパーとなり管１０の上部端面に当接する。そして、蓄積された管１０の管材料１０ａはさらに奥方に形成された受容部２３に侵入し受容される。
【００２４】
次に、図６は、接続具１００の別の実施例を示す一部拡大断面図である。この接続具１００は、管１０の接続端部１１に内挿される内挿筒部２１を備えた接続具本体２０と、前記接続端部１１を前記内挿筒部２１とで挟み付けて、該管１０を接続すべく前記内挿筒部２１に対し軸方向に移動される移動スリーブ３０とから基本構成されたものである。
【００２５】
そして、本実施例の特徴は、移動防止部２２が管挿入空間の奥端壁で構成され、受容部２３を管挿入空間の内方及び外方に設けた点である。つまり、飛出防止部２４は、内挿筒部２１に対して垂直方向に突設され途中で反接続方向に内挿筒部２１に対して平行に折り曲らげれる略Ｌ字形状に形成されている。即ち、飛出防止部２４を構成する垂直な内壁面が移動防止部２２となる。よって、管１０の端面は、飛出防止部２４の垂直な内壁面に当接し移動が防止される。
【００２６】
これにより、上述した実施例と同様に、移動スリーブ３０を管１０外周上に圧縮しつつ押しはめる際に前記内壁面が管１０の端面のストッパの役割をするため、管１０が接続方向に移動することが防止される。続いて、押し出されて蓄積された管１０の管材料１０ａは、飛出防止部２４によって外方への飛び出しが制限されるとともに、飛出防止部２４と内挿筒部２１との間に形成された管挿入空間の内方及び外方に形成された受容部２３に受容される。尚、本実施例においては、受容部２３は管挿入空間の内方及び外方に形成されているが、これに限定されることはなく、内方または外方のいずれか一方に形成されたものでもよい。
【００２７】
次に、図７は、飛出防止部２４の突出端部を部分的に切り欠くことにより管端部の確認窓４０を設けた接続具１００を示したものである。確認窓４０は、管１０の端面が移動防止部２２に当接しているか否かを容易に確認し得るように、飛出防止部２４の突出端部に、前記移動防止部２２よりも図示するＨ分だけ奥方に半円形状まで切り欠かれている。そして、半円形状の確認窓４０は飛出防止部２４の突出端部に所定間隔を隔てて切欠形成されている。これにより、移動スリーブ３０を強制的に押しはめて飛出防止部２４の端面に圧着させたときでも、管１０が内挿頭部２１の奥方まで確実に差しこまれているか否かの確認作業が容易となる。尚、確認窓４０は、上記実施例に限定されることはなく、例えば、飛出防止部２４の突出端部ではなく突出部中心近傍に円形状に切り欠いたものでもよく、管１０の接続状態を確認できるものであればどんな形状でもよい。
【００２８】
また、上述したように、管１０の管端を拡径させて本発明にかかる接続具１００に連結する実施例に限定することなく、例えば、図８に示すように、管端を拡径する必要のない管１０に本発明にかかる接続具１００を連結してもよい。
【００２９】
次に、図９に示す発明は、管接続部６０に接続具１００が取着されたヘッダー２００である。ヘッダー２００は、壁裏に配管される給水湯管に接続される液供給体のことであり、このヘッダー２００に接続された給水湯管は、液排出部となる各使用器機に向かって配管を為すものである。
【００３０】
ヘッダー２００は、架橋ポリエチレン等の耐熱性のある合成樹脂により形成されており、図に示すように、主管が接続される管接続部６０及び、上述した給水湯管等が各々に接続されて分配配管される複数の管接続部６０を有している。そして、各々の管接続部６０には接続具１００が取着されている。尚、主管が接続される管接続部６０は他の管接続部６０に比して口径が大きいため、接続具１００もこれに対応したものが取着されている。
【００３１】
前記接続具１００は、図９または図１０に示すように、接続具本体２０を２つ兼ね備えたものである。即ち、一方にヘッダー２００の管接続部６０の接続端部に内層される内層筒部２１を備えた接続具本体２０と、これと反対方向に連なる他方に給水湯管等の合成樹脂管１０の接続端部に内層される内層筒部２１を備えた接続具本体２０を備えたものである。
【００３２】
まず、ヘッダー２００に給水湯管等の管１０を接続した状態を説明すると、給水湯管等の管１０を接続する側の接続具本体２０には、管１０の接続端部１１を前記内挿筒部２１とで挟み付けて、管１０を接続すべく前記内挿筒部２１に対し軸方向に移動される移動スリーブ３０が各々備えられている。また、各々の接続具本体２０には、移動スリーブ３０の移動に伴って管１０が接続方向に移動するのを防止すべく管端面に当接する移動防止部２２と、前記移動スリーブ３０の移動に伴って押し出された管材料１０ａを受容すべく前記移動防止部２２の奥方に設けられた受容部２３と、前記押し出された管材料１０ａが外方に飛び出すのを防止すべく前記移動防止部２２に当接した管１０の端部外側を覆う飛出防止部２４とが備えられている。
【００３３】
前記内挿筒部２１の外周面上には、管接続部６０の接続端部を接続方向に案内するリブ２１ａが複数周設されており、その奥方には、管１０の接続端部１１の端面が当接する移動防止部２２が周設されている。この移動防止部２２は前記リブ２１ａに比して所定高さ分、高く周設されているため、前記移動スリーブ３０を管１０外周上に圧縮しつつ押しはめる際にも移動防止部２２が管１０の端面のストッパとなり、管１０が接続方向へ移動することが防止される。
【００３４】
続いて、前記移動スリーブ３０の押しはめ過程に、押し出された管１０の管材料１０ａは接続方向に徐々に蓄積される。そして、この蓄積された管材料１０ａが外方に飛び出すのを防止すべく前記移動防止部２２に当接した管１０の端部外側を覆う飛出防止部２４が設けられている。
【００３５】
前記飛出防止部２４は、内挿筒部２１との間に管挿入空間を形成するように反接続方向に突設されており、その形状は、略Ｌ字形状に形成されている。これにより、確実に管材料１０ａの外方への飛び出しが防止される。この飛び出しを制限された管材料１０ａは、さらに奥方（接続方向）に逃げようとするが、それを受容するための受容部２３が前記移動防止部２２の奥方に設けられている。
【００３６】
前記受容部２３によって、接続具本体２０の内挿筒部２１に移動スリーブ３０が完全に押しはめて移動スリーブ３０の端面が飛出防止部の端面に圧着された際にも、図に示すように、押し出されて蓄積された管材料１０ａは飛出防止部２４によって外方への飛び出しが防止されるため、受容部２３に浸入し完全に受容される。これにより、移動スリーブ３０の端面が飛出防止部２４の端面に圧着するまで確実に押しはめることが可能となる。また、この移動スリーブ３０と飛出防止部２４との閉鎖により、外観上も非常に優れたものとなる。さらに、複数ある合成樹脂管１０の接続作業を迅速且つ確実に行うことが可能となる。
【００３７】
尚、ヘッダー２００の管接続部６０に接続具１００を取着する際においても、上述した合成樹脂管１００を接続するのと実質的に同一の機能が得られることは明白であるから、叙上の説明を援用する。ところで、ヘッダー２００に取着された接続具１００について、本実施例では接続具本体を２つ兼ね備えたものを示したが、これに限定されることはなく、例えば、ヘッダー２００の管接続部６０に取着する側の構成については管接続部６０に取着できる構成であればよく、本発明の要旨を逸脱しない範囲の変更であれば、いかなる構成でもよい。
【００３８】
また、接続具１００の構成は、上記実施例に限定されることはなく、例えば、図４において示した如く、接続具１００の移動防止部２２を飛出防止部２４の内壁から突出する段部で形成してもよい。また、図１１及び図１２に示したように、薄肉の合成樹脂管１０が挿入される第２の管挿入空間を構成するように、段部と内挿筒部２１との間に受容部２３を設けたものでもよい。さらに、図５に示したように、移動防止部２２を、飛出防止部２４の内壁が奥方に向けて向けて漸次内挿筒部側に傾斜する傾斜面で形成してもよい。
【００３９】
そして、図７において説明した如く、飛出防止部２４の突出端部を部分的に切り欠くことにより管端部の確認窓４０を設けたものでもよい。これにより、管１０が内挿筒部２１の奥方まで確実に差し込まれているか否かの確認作業が容易となる。さらに、ヘッダー２００に接続される複数ある管の接続作業を迅速且つ確実に行うことが可能となる。
【００４０】
ところで、本発明は、上述した実施例に限定されるものではなく、本発明の目的を達成できる範囲内での改良、変形等は本発明に含まれるものである。尚、本各発明は、次のように変更して具体化することも可能である。
【００４１】
（１）上述した図４に示す実施例においては、移動防止部２２が飛出防止部２４の内壁から突出する段部で形成されているものを示したが、これに限定されることはなく、例えば、図１１に示すように、段部と内挿筒部２１との間に設けられる受容部２３を、薄肉の合成樹脂管が挿入される第２の管挿入空間Ｓを構成するようにしてもよい。即ち、この実施例においては、移動防止部２２が飛出防止部２４の内壁から突出する２段階の段部で形成されたものである。このように、第２の移動防止部２５を設けることにより、第２の管挿入空間Ｓ内に挿入された薄肉の合成樹脂管１０の移動を防止することができる。そして、第２の管挿入空間Ｓの奥方には、移動スリーブ３０の移動により押し出された薄肉の管１０の管材料を受容するための第２の受容部２６が形成されている。尚、第２の受容部２６は、受容部２３の奥方一部に形成したものである。このように、かかる構成からなる接続具１００の実施例においては、上述した実施例と実質的に同一の機能が得られる他にも、さらに薄肉の管１０に対しても対応することができるため、管１０の口径の肉厚のバラツキに対応することができる。
【００４２】
（２）また、本発明の別の実施例として、図１２に示すように、第２の移動防止部２５を、管挿入空間Ｓの奥方に第２の受容部２６を形成すべく、飛出防止部２４の内壁に形成したものでもよい。即ち、この実施例においては、第２の移動防止部２５が管挿入空間Ｓの奥端壁で構成され、第２の受容部２６を管挿入空間Ｓの内方（内挿筒部側）に設けたものである。即ち、内挿筒部２１から垂直方向に突出する内壁面が第２の移動防止部２５となる。これにより、移動スリーブ３０を管１０外周上に圧縮しつつ押しはめる際に前記内壁面が管１０の端面のストッパの役割をするため、管１０が接続方向に移動することが防止される。続いて、押し出されて蓄積された管１０の管材料は、飛出防止部２４と内挿筒部２１との間に形成された管挿入空間Ｓの内方に形成された第２の受容部２６に受容される。尚、第２の受容部２６は、受容部２３の奥方の一部に形成したものである。このように、本発明にかかる接続具１００は、該管１０の接続端部１１に内挿される内挿筒部２１を備えた接続具本体２０と、前記接続端部１１を前記内挿筒部２１とで挟み付けて該管１０を接続すべく、前記内挿筒部２１に対し軸方向に移動される移動スリーブ３０とからなり、前記接続具本体２０は、前記移動スリーブ３０の移動に伴って管１０が接続方向に移動するのを防止すべく、管１０端面に当接する移動防止部２２と、前記移動スリーブ３０の移動に伴って押し出された管材料１０ａを受容する受容部２３と、前記押し出された管材料１０ａが外方に飛び出すのを防止すべく、前記移動防止部２２に当接した管１０の端部外側を覆う飛出防止部２４とを備えたものである。
【００４３】
従って、前記移動スリーブ３０を管１０外周上に圧縮しつつ押しはめる際にも移動防止部２２が管１０の端面のストッパとなるため、管１０が接続方向へ移動することを防止できる。また、飛出防止部２４によって、前記移動スリーブ３０の押しはめ過程において、押しだされて徐々に蓄積された管１０の管材料１０ａが外方に飛び出すのを確実に防止することができ、この飛び出しを制限された管材料１０ａは、さらに奥方（接続方向）に形成された受容部２３に受容することができる。これにより、移動スリーブ３０と飛出防止部２４と閉鎖することができ、外観上も非常に優れたものとすることができる。
【００４４】
さらに、飛出防止部２４の突出端部に部分的に切り欠くことにより形成された確認窓４０を設けたことにより、移動スリーブ３０を強制的に押しはめて飛出防止部２４の端面に圧縮させたときでも、管１０が内挿筒部２１の奥方まで確実に差し込まれているか否かの確認作業を容易に行うことができる。
【００４５】
次に、本発明にかかるヘッダー２００においては、前記接続具１００を、該管１０の接続端部１１に内挿される内挿筒部２１を備えた接続本体２０と、前記接続端部１１を前記内挿筒部２１とで挟み付けて、前記管１０を接続すべく前記内挿筒部２１に対し軸方向に移動される移動スリーブ３０とから構成し、前記接続本体２０は、前記移動スリーブ３０の移動に伴って管１０が接続方向に移動するのを防止すべく管端面に当接する移動防止部２２と、前記移動スリーブ３０の移動に伴って押し出された管材料１０ａを受容する受容部２３と、前記押し出された管材料１０ａが外方に飛び出すのを防止すべく前記移動防止部２２に当接した管１０の端部外側を覆う飛出防止部２４とを備えたものである。
【００４６】
従って、上記のように構成されたヘッダー２００は、上述した接続具１００と同様な作用効果を奏することは勿論のこと、さらに、複数の給水湯管などの管１０の接続作業を迅速且つ確実に行うことができる。
【００４７】
【発明の効果】
以上詳述した通り、本願請求項１の発明は、合成樹脂管を接続するための接続具であって、該管の接続端部に内挿される内挿筒部を備えた接続具本体と、前記接続端部を前記内挿筒部とで挟み付けて該管を接続すべく、前記内挿筒部に対し軸方向に移動される移動スリーブとからなり、前記接続具本体は、前記移動スリーブの移動に伴って管が接続方向に移動するのを防止すべく管端面に当接する移動防止部と、前記移動スリーブの移動に伴って押し出された管材料を受容する受容部２３と、前記押し出された管材料が外方に飛び出すのを防止する飛出防止部とを備えたことにより、前記移動スリーブを管外周上に圧縮しつつ押しはめる際にも移動防止部が管の端面のストッパとなるため、管が接続方向へ移動することを防止できる。
【００４８】
また、飛出防止部によって、前記移動スリーブの押しはめ過程において、押し出されて徐々に蓄積された管の管材料が外方に飛び出すのを確実に防止することができ、この飛び出しを制限された管材を、さらに奥方（接続方向）に形成された受容部に受容することができる。これにより、移動スリーブと飛出防止部とを閉鎖することができ、外観上も非常に優れたものとすることができる。
【００４９】
次に、請求項２に係る発明は、請求項１記載の発明の接続具を構成する飛出防止部を、内挿筒部との間に管挿入空間を形成するように反接続方向に突設したことにより、上記請求項１記載の発明と同様な効果を奏する他、前記移動スリーブの押しはめ過程において、押し出されて徐々に蓄積された管の管材料が外方に飛び出すことを確実に防止することができる。
【００５０】
次に、請求項３に係る発明は、請求項２記載の発明の接続具を構成する前記移動防止部を、管挿入空間部の奥方に受容部を形成すべく、飛出防止部の内壁に形成したことにより、上記請求項２記載の発明と同様な効果を奏する他、移動スリーブを管外周上に圧縮しつつ押しはめる際にも移動防止部が管の端面のストッパとなるため、管が接続方向へ移動することを防止できる。
【００５１】
次に、請求項４に係る発明は、請求項３記載の発明の接続具を構成する移動防止部を、飛出防止部の内壁から突出する段部で形成したことにより、上記請求項３記載の発明と同様な効果を奏することができる。
【００５２】
次に、請求項５に係る発明は、請求項４記載の発明の接続具を構成する段部と内挿筒部との間に設けられる受容部を、薄肉の合成樹脂管が挿入される第２の管挿入空間を構成したことにより、上記請求項４記載の発明と同様な効果を奏する他、第２の管挿入空間部内に挿入された薄肉の合成樹脂管の移動を防止することができる。これにより、管１０の口径の肉厚のバラツキに対応することができる。
【００５３】
次に、請求項６に係る発明は、請求項５記載の発明の接続具を構成する接続具本体に、前記スリーブの移動に伴って、前記第２の管挿入空間内に挿入された薄肉の合成樹脂管が接続方向に移動するのを防止すべく該薄肉の管の端面に当接する第２の移動防止部と、前記移動スリーブの移動により押出された前記薄肉の管の管材料を受容する第２の受容部とを備えたことにより、上記請求項４記載の発明と同様な効果を奏する他、第２の管挿入空間部の奥方には、受容部が形成されているため、移動スリーブ３０の移動により押し出された薄肉の管の管材料を受容することができる。
【００５４】
次に、請求項７に係る発明は、請求項３記載の発明の接続具を構成する移動防止部を、飛出防止部の内壁が奥方に向けて漸次内挿筒部側に傾斜する傾斜面で形成したことにより、上記請求項３記載の発明と同様な効果を奏することができる。
【００５５】
次に、請求項８に係る発明は、請求項２記載の発明の接続具を構成する移動防止部を、管挿入空間の奥方に受容部を形成すべく、内挿筒部の外壁に形成したことにより、上記請求項２記載の発明と同様な効果を奏することができる。
【００５６】
次に、請求項９に係る発明は、請求項２記載の発明の接続具を構成する移動防止部を、管挿入空間の奥端壁で構成し、受容部を、管挿入空間の内方又は外方に設けたことにより、上記請求項２記載の発明と同様な効果を奏することができる。
【００５７】
次に、請求項１０に係る発明は、請求項２乃至９のいずれか記載の発明の接続具を構成する飛出防止部を、部分的に切り欠いて管端部の確認窓を設けたことにより、上記請求項２〜９のいずれかに記載の発明と同様な効果を奏することができる他、移動スリーブを強制的に押しはめて飛出防止部の端面に圧着させたときでも、管が内挿筒部の奥方まで確実に差し込まれているか否かの確認作業を容易に行うことができる。
【図面の簡単な説明】
【図１】本各発明に係る接続具の実施例において管を差しはめた状態を示す断面図である。
【図２】本各発明に係る接続具の実施例において移動スリーブを部分的に押しはめた状態を示す断面図である。
【図３】本各発明に係る接続具の実施例において移動スリーブを完全に押しはめた状態を示す断面図である。
【図４】本各発明に係る接続具の別の実施例において管を差しはめた状態を示す断面図である。
【図５】本各発明に係る接続具を構成する飛出防止部の別の実施例を示す拡大部分断面図である。
【図６】本各発明に係る接続具の別の実施例を示す部分断面図である。
【図７】本各発明に係る接続具を構成する飛出防止部に確認窓を設けた状態を示す一部切欠断面図である。
【図８】本各発明に係る接続具の実施例に管端を拡開させていない管を差しはめた状態を示す断面図である。
【図９】本各発明に係るヘッダーの実施例において管を差しはめた状態を示す一部切欠平面図である。
【図１０】図９における一部拡大断面図である。
【図１１】本各発明に係る接続具の別の実施例を示す部分断面図である。
【図１２】本各発明に係る接続具の別の実施例を示す部分断面図である。
【図１３】従来の接続具において移動スリーブを部分的に押しはめた状態を示す断面図である。
【図１４】従来の接続具において移動スリーブを奥方まで押しはめた状態を示す断面図である。
【符号の説明】
１０ 管
１０ａ 管材料
１１ 接続端部
２０ 接続具本体
２１ 内挿筒部
２１ａ リブ
２２ 移動防止部
２３ 受容部
２４ 飛出防止部
２５ 第２の移動防止部
２６ 第２の受容部
３０ 移動スリーブ
４０ 確認窓
１００ 接続具
２００ ヘッダー
【図１】
0004019186.tif 000002
【図２】
0004019186.tif 000003
【図３】
0004019186.tif 000004
【図４】
0004019186.tif 000005
【図５】
0004019186.tif 000006
【図６】
0004019186.tif 000007
【図７】
0004019186.tif 000008
【図８】
0004019186.tif 000009
【図９】
0004019186.tif 000010
【図１０】
0004019186.tif 000011
【図１１】
0004019186.tif 000012
【図１２】
0004019186.tif 000013
【図１３】
0004019186.tif 000014
【図１４】
0004019186.tif 000015